(57)【要約】【課題】アンカーに対する側方からの簡便な装着が可能であるとともに、アンカーに対してより安定した強固な装着状態が得られ、延いてはバネ力を縮小してもアンカーに対する的確な位置保持力を確保することができ、より小さな操作力によってアンカーに対する側方からの装着が可能な、使い勝手のよい実用的なアンカー用スペーサを提供する。【解決手段】アンカー用スペーサ１を、周壁の一部が軸心方向に沿って開口された弾性変形可能な両側の筒状部２，３と、それらの両側の筒状部２，３に両端部が一体的に連設され、それぞれの中間部が径方向外側へ膨出された複数の間隔保持片４とから構成し、筒状部２，３の開口部をアンカーに対して側方から押し当ててそのバネ力に抗して拡開することにより、アンカー用スペーサ１をアンカーの側方から装着する。【選択図】図１
2004197559.tif 000002
【特許請求の範囲】
【請求項１】
周壁の一部が軸心方向に沿って開口された弾性変形可能な両側の筒状部と、それらの両側の筒状部に両端部が一体的に連設され、それぞれの中間部が径方向外側へ膨出された複数の間隔保持片とからなり、前記筒状部の開口部をアンカーに対して側方から押し当てて該開口部を拡開することにより、側方からアンカーに装着し得るように構成したことを特徴とするアンカー用スペーサ。
【請求項２】
前記筒状部の開口部の縁部に沿って折返し部を形成したことを特徴とする請求項１に記載のアンカー用スペーサ。
【発明の詳細な説明】
【技術分野】
【０００１】
本発明は、例えばロックボルト等のアンカーを地盤に設置する場合に、アンカーに装着した状態で共にアンカー設置用の孔に挿入され、その設置孔の内壁に当接してアンカーの位置を保持するためのアンカー用スペーサに関する。
【背景技術】
【０００２】
従来、ロックボルトやグラウンドアンカーなどの各種アンカーが地盤安定化の手段として多用されている。これらのアンカーは、アンカー設置用の孔（削孔）に挿入した状態で、その周囲に適宜のグラウト材を充填することにより地盤に定着される。この定着作業においては、それらグラウト材の被り厚を適正に確保することが重要であり、このためアンカーをアンカー設置の孔の中心部すなわち孔心に保持するアンカー用スペーサが一般的に使用されている。
【０００３】
斯かるアンカー用スペーサに関する従来技術として、帯状金属板を欠円筒状に屈曲形成して、両側に挿通口を形成するとともに、それらの両側の挿通口の間に支持片を筒体外方向に屈曲膨出することにより、アンカー用スペーサを形成するものが知られている（特許文献１）。しかしながら、この従来技術は、アンカー用スペーサを帯状金属板から屈曲形成するというものであって、そのアンカー用スペーサは、両側に形成した挿通口を介してアンカーに軸方向から挿通することにより装着するものであったため、その作業性に問題があった。他方、バネ力に抗してアンカーに対して側方から装着可能な開口を有する円筒状本体と、その円筒状本体の片側に一体的に形成された複数の掛止片から構成されるロックボルト用の掛止具も知られている（特許文献２）。しかしながら、この従来のロックボルト用の掛止具の場合には、ロックボルトに対する装着は簡便であるものの、円筒状本体の片側にしか掛止片が設置されないため、ロックボルトに装着して設置用の孔に挿入する際には、掛止片と設置用孔の内壁面との偏った部分的な接触による摩擦力によって円筒状本体の部分に大きな回転モーメントが作用し、掛止具全体がロックボルトの軸心に対して傾斜したり、脱落しやすいといった技術的問題があった。また、各掛止片自体も円筒状本体に対して片側で連設されるという片持ちの形態であったため、ロックボルトに対する位置保持力も弱いという技術的問題があった。このため、円筒状本体や掛止片の板厚を増やすなどしてバネ力を強化する必要があった。しかしながら、このバネ力をあまり強化すると、その分、掛止具のロックボルトに対する装着が逆にやりにくくなるという他方の問題があったため、アンカーへの装着が容易で、しかもアンカーに対する安定した強固な装着状態が得られ、アンカーの位置を的確に保持し得る、使い勝手のよい実用的なアンカー用スペーサを提供することは簡単ではなかった。
【特許文献１】特公昭６４−５３７号公報
【特許文献２】実公平６−７１２０号公報
【発明の開示】
【発明が解決しようとする課題】
【０００４】
本発明は、以上のような従来の技術的状況に鑑み、アンカーに対する側方からの簡便な装着が可能であるとともに、アンカーに対してより安定した強固な装着状態が得られ、延いてはバネ力を縮小してもアンカーに対する的確な位置保持力を確保することができ、より小さな操作力よってアンカーに対する側方からの装着が可能な、使い勝手のよい実用的なアンカー用スペーサを提供することを目的とする。
【課題を解決するための手段】
【０００５】
本発明では、課題を解決するため、周壁の一部が軸心方向に沿って開口された弾性変形可能な両側の筒状部と、それらの両側の筒状部に両端部が一体的に連設され、それぞれの中間部が径方向外側へ膨出された複数の間隔保持片とからアンカー用スペーサを構成し、前記筒状部の開口部をアンカーに対して側方から押し当てて該開口部を拡開することにより、アンカー用スペーサをアンカーの側方から装着するという技術手段を採用した。本発明に係るアンカー用スペーサの場合には、間隔保持片に作用する設置用孔の内壁面からの外力は両側の筒状部に分散されることから、それぞれの筒状部に作用する回転モーメントを大幅に縮小することができる。その結果、アンカーから外れにくい装着力の強いきわめて実用的なアンカー用スペーサを実現することができる。さらに、前記筒状部の開口部の縁部に沿って折返し部を形成することにより、筒状部の開口縁部周辺を補強するとともに、アンカーに対する装着時の案内機能を付与することが可能である。
【発明の効果】
【０００６】
本発明によれば、次の効果を得ることができる。
（１）本発明に係るアンカー用スペーサは、その両側の筒状部の開口部をアンカーに押し当てて拡開することにより、アンカーに対して側方からきわめて簡便に装着することができる。
（２）間隔保持片を挟んで両側に連設した筒状部を介してアンカーに装着するように構成したので、前述のように間隔保持片に作用する設置用孔の内壁面からの外力は両側の筒状部に分散され、それぞれの筒状部に作用する回転モーメントが大幅に縮小されることから、アンカーに対するより安定した強固な装着状態が得られる。
（３）以上のように、両側の筒状部によりアンカーに対する安定した強固な装着状態が得られることから、それらの各々の筒状部のバネ力を縮小して、より小さな操作力で装着し得る使い勝手のよいきわめて実用的なアンカー用スペーサを提供することが可能である。
（４）さらに、筒状部の開口部の縁部に沿って折返し部を形成することにより、筒状部の開口縁部周辺を補強するとともに、アンカーに対する装着時の案内機能を付与することができる。これにより、更に装着の容易な使い勝手のよいアンカー用スペーサが得られる。
【発明を実施するための最良の形態】
【０００７】
本発明に係るアンカー用スペーサは、ロックボルトやグラウンドアンカーなどの各種アンカーを設置用の孔に挿入した際の位置保持用のスペーサとして広く適用することが可能である。本発明に係るアンカー用スペーサは、バネ鋼材などの弾性変形に富む素材から構成され、前述のように両側の筒状部の開口部をアンカーの側面に押し当ててその開口部を拡開することにより、アンカーに対して側方から簡便に装着し得るように構成されている。そして、本発明に係るアンカー用スペーサをアンカーに側方から装着した場合には、その弾性復元力により両側の筒状部の開口部が開きを縮小して、アンカー用スペーサの両端部においてアンカーに強固に装着されることになる。したがって、それぞれの筒状部に作用する回転モーメントは大幅に縮小され、アンカーから脱落しにくいより安定した装着状態が得られる。また、前記開口部を介して径方向の弾性変形が可能なことから、外径の多少異なるアンカーにも簡便に対応することができる。斯かる筒状部の形状に関しては、前記開口部で周壁の一部が開放された略円形状断面や略楕円形状断面からなる短筒状のものが使用される。また、両側の筒状部の間に形成される間隔保持片の設置数は、３個以上あれば格段の限定はないが、好ましくは４個である。因みに、間隔保持片を３個設ける場合には、筒状部の開口側端部の近くに１個ずつと、当該開口部に対して軸心を挟む対向位置に残りの１個を配置すればよく、各間隔保持片間はほぼ１２０度になる。
【実施例１】
【０００８】
図１及び図２は本発明に係るアンカー用スペーサの第１実施例を示したものであり、図１はその正面図、図２は平面図である。図中、１は本実施例に係るアンカー用スペーサで、両側の筒状部２，３と、それらの筒状部２，３間に一体的に連設された複数の間隔保持片４とから構成される。これらの両側の筒状部２，３及び各間隔保持片４はバネ鋼材などの弾性変形に富む素材から構成されている。本実施例の筒状部２，３は、それぞれ略円形状断面に形成され、その周壁の一部が軸心方向に沿って開口されている。図２中、５，６はその筒状部２，３の開口部を示したもので、図示のように本実施例では、それらの開口部５，６の両側の縁部に沿って折返し部７，８を形成している。また、本実施例では、一方の筒状部２の内壁面に内方へ突出した２個の突起９を形成し、それらの突起９をアンカーの外周面に形成された竹節やネジ節などの凹凸部に係止させて軸方向のずれを防止するように構成するとともに、他方の筒状部３の内径をアンカーの外径より少し大きく設定して軸方向に摺動し得るように構成している。
【０００９】
しかして、本実施例に係るアンカー用スペーサ１をアンカーに装着する場合には、その開口部５，６をアンカーに対して側方から押し当てて、それらの開口部５，６を弾性力に抗して拡開することにより簡便に装着することができる。その装着の際には、開口部５，６の両側の縁部に沿って形成した前記折返し部７，８が案内手段としても機能することから装着がきわめて容易である。そして、アンカーに対する側方からの装着が完了すると、両側の筒状部２，３はそれ自体の弾性復元力によってアンカーに装着され、アンカー用スペーサ１をアンカーに対して両側から確実に保持することになる。すなわち、アンカー用スペーサ１は両側の筒状部２，３を介して両端部をアンカーに保持されることから、従来の片持ちの形態とは異なり、設置用孔の内壁面からの外力に基づいて両側の筒状部２，３に作用する回転モーメントは大幅に縮小されることから、きわめて強固な装着状態が得られる。したがって、延いては筒状部２，３の板厚を薄くするなどしてバネ力を縮小して、より少ない操作力で十分な装着力が得られる使い勝手のよいきわめて実用的なアンカー用スペーサを提供することができる。因みに、アンカー用スペーサ１をアンカーに装着した状態では、筒状部２に形成した突起９がアンカーの外周面の凹凸部に係止して長手方向へのずれを防止する機能を奏する。他方、筒状部３の内径はアンカーの外径より少し大きく設定して軸方向に摺動し得るように構成して、本アンカー用スペーサをアンカーに装着して設置用の孔に挿入する際に、その設置用孔の大きさに応じて生じる各間隔保持片４の拡縮変形に伴う軸方向のずれを拘束しないようにしたことから、設置用孔への円滑な挿入が可能である。
【００１０】
本実施例では、前記間隔保持片４として、図１及び図２に示したように、中間部が径方向外側へ略放射状に膨出した帯板状からなる４個の間隔保持片４ａ〜４ｄを設けた場合を示した。図１に示したように、それらの間隔保持片４ａ〜４ｄの中間部に形成した各膨出部１０ａ〜１０ｄは平坦状に形成され、アンカー用スペーサ１をアンカーに装着した状態で設置用の孔に挿入した場合に、その間隔保持片４ａ〜４ｄの平坦な各膨出部１０ａ〜１０ｄが設置用孔の内壁面に対してより安定した状態で当接して、アンカーを設置用孔の内壁面から確実に離してグラウト材の注入路を確保し得るように構成している。因みに、アンカーの外径の大小による筒状部２の拡縮変形に起因して、各間隔保持片４ａ〜４ｄの設置用孔の内壁面に対する当接位置が放射状に均等に分配されなくなると、アンカーと設置用孔との間において、グラウト材の充填不良等につながる軸心のずれが発生しやすいという問題がある。このため、本実施例では、図２に示したように、間隔保持片４ａ，４ｄに関しては、図示のようにそれらの膨出部１０ａ，１０ｄを周方向においてそれぞれ開口部５の端部に近い位置に配置するとともに、その筒状部２と交差する付け根の部分を前記膨出部１０ａ，１０ｄよりも周方向の内方に位置するように設けて、筒状部２の拡縮変形による間隔保持片４ａ，４ｄの膨出部１０ａ，１０ｄの変位を低減するように構成している。なお、以上の実施例の説明においては間隔保持片が４個の場合に関して説明したが、３個あるいは５個以上にすることはもちろん可能である。
【実施例２】
【００１１】
図３〜図６は本発明に係るアンカー用スペーサの第２実施例を示したものであり、図３はその正面図、図４は左側面図、図５は平面図、図６は底面図である。本実施例に係るアンカー用スペーサ１１では、両側の筒状部１２，１３として、前記第１実施例における略円形状断面のものの周壁の一部を軸心方向に沿って開口した筒状部２，３に代えて、略楕円形状断面のものの周壁の一部を軸心方向に沿って開口して開口部１４，１５を形成した形態を採用した場合を示した。因みに、本実施例における筒状部１２，１３の場合には、周壁全体が同じ曲率ではなく、突起１６側の円弧部分はその両側部分の円弧よりも大きな曲率で形成され、平らに近いものになっている。これは、適用対象となるアンカーの断面形状に合わせたためであり、必ずしもこれに限定されるものではない。また、間隔保持片１７としては中間部を円弧状に膨出したものを採用した。その他の構成においては、前記第１実施例と基本的に相違するところはなく、同様の機能を奏する。
【図面の簡単な説明】
【００１２】
【図１】本発明の第１実施例を示した正面図である。
【図２】同実施例を示した平面図である。
【図３】本発明の第２実施例を示した正面図である。
【図４】同実施例を示した左側面図である。
【図５】同実施例を示した平面図である。
【図６】同実施例を示した底面図である。
【符号の説明】
【００１３】
１…アンカー用スペーサ、２，３…両側の筒状部、４，４ａ〜４ｄ…間隔保持片、５，６…開口部、７，８…折返し部、９…突起、１０ａ〜１０ｄ…膨出部、１１…アンカー用スペーサ、１２，１３…両側の筒状部、１４，１５…開口部、１６…突起、１７…間隔保持片
【図１】
2004197559.tif 000003
【図２】
2004197559.tif 000004
【図３】
2004197559.tif 000005
【図４】
2004197559.tif 000006
【図５】
2004197559.tif 000007
【図６】
2004197559.tif 000008